(57)【要約】      （修正有）【課題】超高輝度ＬＥＤを用いることにより、整流回路やコンデンサが不要で、圧電素子とＬＥＤを直接連結することで構成が簡単でコストも安い発光玩具を提供する。【解決手段】玩具３本体に固定した圧電素子１と、圧電素子１の電力によって発光する玩具３本体に固定された発光体１５と、圧電素子１を加圧して発電するために圧電素子１と所定間隔を有して設けた加圧手段３２ａ〜３２ｃと、加圧手段３２ａ〜３２ｃを圧電素子１に衝突させて加圧するための作動手段Ｗ１，Ｗ２とからなり、圧電素子１と発光体１５を電線１２、１４で直接連結した。【選択図】図４
0003168938.tif 000002
【実用新案登録請求の範囲】
【請求項１】
玩具本体に固定した圧電素子と、
前記圧電素子の電力によって発光する玩具本体に固定された発光体と、
前記圧電素子を加圧して発電するために前記圧電素子と所定間隔を有して設けた加圧手段と、
前記加圧手段を作動して前記圧電素子を加圧するための作動手段とからなり、
前記圧電素子と前記発光体を電線で直接連結したことを特徴とする発光玩具。
【請求項２】
玩具本体に固定した防水加工を施した圧電素子と、
前記圧電素子の電力によって発光する玩具本体に固定された発光体と、
前記圧電素子を加圧して発電するために前記圧電素子と所定間隔を有して設けた加圧手段と、
前記加圧手段を作動して前記圧電素子を加圧するための作動手段とからなり、
前記圧電素子と前記発光体を電線で直接連結したことを特徴とする発光玩具。
【請求項３】
前記圧電素子をミニカー走行用の道路を支持する基台上に固定し、
前記発光体を前記道路に取り付けたポールに固定し、
前記加圧手段は前記道路の一部に設けた可撓性部材とその裏面に一体に構成した加圧部によって構成し、
前記作動手段は前記道路上を走行するミニカーの車輪によって構成し、前記車輪が走行時に前記加圧手段を押圧することにより前記加圧部が前記圧電素子を加圧することを特徴とする請求項１又は２記載の発光玩具。
【請求項４】
前記圧電素子を自動車玩具の内部に固定し、
前記発光体を前記自動車玩具の上部に固定し、
前記加圧手段は前記自動車玩具の内部に設けた往復駆動体の前方に構成したスライダーと前記スライダーの先端に圧力調整用バネを介して固定した加圧部によって構成し、
前記作動手段は前記往復駆動体とそれを駆動する駆動装置によって構成し、
前記往復駆動体によって前記加圧手段が往復運動することにより前記加圧部が前記圧電素子を加圧することを特徴とする請求項１又は２記載の発光玩具。
【請求項５】
前記圧電素子をピストル玩具の内部に固定し、
前記発光体を前記ピストル玩具の先端に固定し、
前記加圧手段は前記ピストル玩具の内部のバネに固定したスライダーと前記スライダーの先端に圧力調整用バネを介して固定した加圧部によって構成し、
前記作動手段は前記加圧手段と係合する引き金によって構成し、
前記引き金を引くことによって前記加圧手段が後退し、その後前記バネの力で前記加圧手段が前進することにより前記加圧部が前記圧電素子を加圧することを特徴とする請求項１又は２記載の発光玩具。
【請求項６】
前記圧電素子を水車玩具に固定し、
前記発光体を前記水車玩具に固定し、
前記加圧手段は前記水車玩具に設けた固定軸に一端を固定した板状部材とその裏面に一体に構成した加圧部によって構成し、
前記作動手段は水流で回転する回転体と同期して回転する作動車と前記作動体の周縁に取り付けられ、先端を前記板状部材の先端と接触可能な作動ピンによって構成し、
前記作動ピンの回転に伴って上下動する板状部材の下方動によって前記加圧部が前記圧電素子を加圧することを特徴とする請求項１又は２記載の発光玩具。
【請求項７】
前記圧電素子を電車玩具走行用のレールを支持する踏み切り内部に固定し、
前記発光体を前記踏み切りに立設した信号機に固定し、
前記加圧手段は前記踏み切りの裏面に支軸によって軸支された作動杆の一端にバネを介して取り付けた加圧部によって構成し、
前記作動手段は前記レール上を走行する電車玩具の車輪によって構成し、
前記車輪が走行時に前記作動杆を作動することにより前記加圧部が前記圧電素子を加圧することを特徴とする請求項１又は２記載の発光玩具。
【考案の詳細な説明】
【技術分野】
【０００１】
本考案は、玩具本体に設けた圧電素子を加圧手段に衝突させて加圧して発電し、この電力により発光素子を発光させる発光玩具に関するものである。
【背景技術】
【０００２】
従来、各種の発光素子を備えた発光玩具が提案されているが、その中で特許文献１に示すように発光素子として圧電素子を用いるものが提案されていた。
【先行技術文献】
【特許文献】
【０００３】
【特許文献１】特開２００１−８７５６６号公報
【０００４】
この発明は、玩具本体は歪みにより発電する圧電素子と、該圧電素子の発電した電圧を整流する整流回路と、該整流回路に整流された電圧を平滑するコンデンサと、該コンデンサに並列接続された発光素子とを有するとともに、上記玩具本体は上記圧電素子を歪ませる歪み発生手段を備えたものである。
【考案の概要】
【考案が解決しようとする課題】
【０００５】
前記特許文献１記載の発明では、圧電素子の発電した電圧を整流する整流回路やコンデンサが用いられているため構成が複雑となり、また製作コストも高価なものとなった。
本考案は、超高輝度ＬＥＤを用いることにより、整流回路やコンデンサが不要で、圧電素子とＬＥＤを直接連結することで構成が簡単でコストも安い発光玩具を提供することを目的とする。
【課題を解決するための手段】
【０００６】
本考案の要旨とするところは、玩具本体に固定した圧電素子と、前記圧電素子の電力によって発光する玩具本体に固定された発光体と、前記圧電素子を加圧して発電するために前記圧電素子と所定間隔を有して設けた加圧手段と、前記加圧手段を作動して前記圧電素子を加圧するための作動手段とからなり、前記圧電素子と前記発光体を電線で直接連結した発光玩具である。
【０００７】
また、本考案の要旨とするところは、玩具本体に固定した防水加工を施した圧電素子と、前記圧電素子の電力によって発光する玩具本体に固定された発光体と、前記圧電素子を加圧して発電するために前記圧電素子と所定間隔を有して設けた加圧手段と、前記加圧手段を作動して前記圧電素子を加圧するための作動手段とからなり、前記圧電素子と前記発光体を電線で直接連結した発光玩具である。
【０００８】
また、本考案の要旨とするところは、前記圧電素子をミニカー走行用の道路を支持する基台上に固定し、前記発光体を前記道路に取り付けたポールに固定し、前記加圧手段は前記道路の一部に設けた可撓性部材とその裏面に一体に構成した加圧部によって構成し、前記作動手段は前記道路上を走行するミニカーの車輪によって構成し、前記車輪が走行時に前記加圧手段を押圧することにより前記加圧部が前記圧電素子を加圧する発光玩具である。
【０００９】
また、本考案の要旨とするところは、前記圧電素子を自動車玩具の内部に固定し、前記発光体を前記自動車玩具の上部に固定し、前記加圧手段は前記自動車玩具の内部に設けた往復駆動体の前方に構成したスライダーと前記スライダーの先端に圧力調整用バネを介して固定した加圧部によって構成し、前記作動手段は前記往復駆動体とそれを駆動する駆動装置によって構成し、前記往復駆動体によって前記加圧手段が往復運動することにより前記加圧部が前記圧電素子を加圧する発光玩具である。
【００１０】
また、本考案の要旨とするところは、前記圧電素子をピストル玩具の内部に固定し、前記発光体を前記ピストル玩具の先端に固定し、前記加圧手段は前記ピストル玩具の内部のバネに固定したスライダーと前記スライダーの先端に圧力調整用バネを介して固定した加圧部によって構成し、前記作動手段は前記加圧手段と係合する引き金によって構成し、前記引き金を引くことによって前記加圧手段が後退し、その後前記バネの力で前記加圧手段が前進することにより前記加圧部が前記圧電素子を加圧する発光玩具である。
【００１１】
また、本考案の要旨とするところは、前記圧電素子を水車玩具に固定し、前記発光体を前記水車玩具に固定し、前記加圧手段は前記水車玩具に設けた固定軸に一端を固定した板状部材とその裏面に一体に構成した加圧部によって構成し、前記作動手段は水流で回転する回転体と同期して回転する作動車と前記作動体の周縁に取り付けられ、先端を前記板状部材の先端と接触可能な作動ピンによって構成し、前記作動ピンの回転に伴って上下動する板状部材の下方動によって前記加圧部が前記圧電素子を加圧する発光玩具である。
【００１２】
また、本考案の要旨とするところは、前記圧電素子を電車玩具走行用のレールを支持する踏み切り内部に固定し、前記発光体を前記踏み切りに立設した信号機に固定し、前記加圧手段は前記踏み切りの裏面に支軸によって軸支された作動杆の一端にバネを介して取り付けた加圧部によって構成し、前記作動手段は前記レール上を走行する電車玩具の車輪によって構成し、前記車輪が走行時に前記作動杆を作動することにより前記加圧部が前記圧電素子を加圧する発光玩具である。
【考案の効果】
【００１３】
請求項１の考案は、玩具本体に固定した圧電素子を簡易で効率的な加圧手段によって発電させ発光体を発光させることで、簡易な構成ながら発光効率の良い玩具として興趣につきない。また圧電素子と発光体を電線で直接連結したことにより、玩具の構成が簡単でコストが安くなるというメリットがある。
【００１４】
請求項２の考案は、請求項１の圧電素子に防水加工を施したので、水車玩具等、水を使用する玩具に最適である。
【００１５】
請求項３の考案は、道路上でミニカーを走らせることで、他の電源を必要とせず発光体が点滅を繰り返すため、ミニカーを楽しく走らせて遊ぶことができる。
【００１６】
請求項４の考案は、圧電素子、加圧手段等の発光機構のすべてが車体内部に収納されているため、玩具本体は小型となり持ち運びに便利であらゆる場所で遊ぶことができる。
【００１７】
請求項５の考案は、引き金を引くと銃口に取り付けた発光体が光るため、あたかも本物のピストルを撃っているような臨場感があり玩具として興趣に尽きない。
【００１８】
請求項６の考案は、水流を駆動源として一定の間隔を有しながら継続的に発光体を点灯させることができるため、水流を駆動源とした意外さと水車の回転と共に点滅する面白さがある。
【００１９】
請求項７の考案は、電車玩具が線路を走行して踏切を通過すると、信号機の発光体が点滅を繰り返すため、あたかも本物の踏切を電車が走行するような臨場感に溢れる。
【図面の簡単な説明】
【００２０】
【図１】圧電素子とＬＥＤの関係を示す図であり、斜視図（ａ）と正面断面図（ｂ）である。
【図２】圧電素子とＬＥＤの関係を示す図であり、斜視図（ａ）と正面断面図（ｂ）である。
【図３】圧電素子とＬＥＤの関係を示す配線図であり、ＬＥＤが１個の場合（ａ）とＬＥＤが２個の場合（ｂ）である。
【図４】本考案の実施形態１の正面断面図である。
【図５】本考案の実施形態１の平面図である。
【図６】本考案の実施形態２の正面断面図である。
【図７】本考案の実施形態２の正面断面図である。
【図８】本考案の実施形態３の正面断面図である。
【図９】本考案の実施形態４の模式図である。
【図１０】本考案の実施形態５の斜視図である。
【図１１】本考案の実施形態６の斜視図である。
【図１２】本考案の実施形態６の一部拡大断面図である。
【図１３】本考案の実施形態６の一部拡大断面図である。
【考案を実施するための形態】
【００２１】
図１は、本考案に使用する圧電素子とＬＥＤの関係を示す斜視図（ａ）と正面断面図（ｂ）である。
本考案における圧電素子１は、金属板とセラミックス（チタン酸バリウム）を素材とする、安価で発電効率の高いものである。
また、発光体であるＬＥＤ１５は、わずかな発電量でも発光する超高輝度ＬＥＤを使用している。
【００２２】
図１に示すように、圧電素子１は直径３〜５ｃｍの円形であり、マイナス側部材１１の中央にプラス側部材１３が固定されている。そして、マイナス側部材１１の電線１２とプラス側部材１３の電線１４が、ＬＥＤ１５に連結している。
このように、本考案に使用する圧電素子１とＬＥＤ１５は、整流回路等を用いず、直接電線１２、１４で連結されているため機構が簡素化されている。
【００２３】
また図２に示す圧電素子２は、前記圧電素子１に防水加工を施したものである。この圧電素子２は、水車玩具等の水を使用する玩具に使用される。
図示のように、圧電素子２は、前記プラス側部材１３全体を防水フイルム１６で覆い、一部に配線用孔１８を設けている。この配線用孔１８を使用して電線１４の一端をプラス側部材１３に連結している。一方、ＬＥＤ１５も、前記電線１２、１４との連結部分を防水用樹脂１９で覆っている。
【００２４】
図３は、 圧電素子１とＬＥＤ１５の関係を示す配線図であり、ＬＥＤ１５が１個の場合（ａ）とＬＥＤが２個の場合（ｂ）を示している。特にＬＥＤが２個の場合は、ＬＥＤ１５，１５の極性を逆にしているため、圧電素子１の往復の変形によって、それぞれのＬＥＤ１５が交互に発光するため、同一のエネルギーで２倍の光量を得ることができる。
【００２５】
図４及び図５は本考案の実施形態１のミニカー道路玩具を表すものである。
ミニカー道路玩具３は、長尺の基台３０の上部に一定の高さを有して長尺の道路３１を構成する。前記基台３０には圧電素子１の支持部３５を立設して、２個の支持部３５によって前記圧電素子１を水平に基台３０から一定の高さに固定すると共に、圧電素子１の電線１２、１４は道路３１上のポール３９の内部を通り、ポール３９上のＬＥＤ１５に連結する。
【００２６】
前記道路３１には、圧電素子１を加圧するための加圧手段３２を構成している。この加圧手段３２は、可撓性部材３３とその裏面に一体に構成した断面三角形状の加圧部３４からなり、本実施形態では、次の実施例１、２、３を示している。
【００２７】
実施例１は、図４の中央に示す加圧手段３２ａであり、可撓性部材３３が道路３１と一体に構成されているものである。
実施例２は、道路３１の前方（図４左方）に示す加圧手段３２ｂであり、可撓性部材３３が道路３１と別体に構成されていて、その表面に振動発生用突起３６が構成されているものである。
実施例３は、道路３１の後方（図４右方）に示す加圧手段３２ｃであり、可撓性部材３３が道路３１と別体に構成されていて、その表面に振動発生用凹部３７が構成されているものである。
【００２８】
このように構成したミニカー道路玩具３の作用について説明する。
ミニカーＭを道路３１上で走らせると、作動手段である前輪Ｗ１が加圧手段３２ａの上を通るため可撓性部材３３にミニカーＭの重量がかかり、可撓性部材３３は下方に撓み、裏面の加圧部３４が圧電素子１の表面に強く当たり加圧する。
これによって圧電素子１に電気が発生し、この電気が電線１２、１４を経由してＬＥＤ１５に流れてＬＥＤ１５が点灯するのである。
【００２９】
前輪Ｗ１が通過すると可撓性部材３３は元の位置に復帰するため、加圧部３４も元の位置に戻る。続いて後輪Ｗ２が加圧手段３２ａを押圧すると、再び加圧部３４が圧電素子１の表面を加圧しＬＥＤ１５が点灯するのである。
このように、道路３１上でミニカーＭを走らせることで、他の電源を必要とせずＬＥＤ１５が点滅を繰り返すため、ミニカーＭを楽しく走らせて遊ぶことができる。
【００３０】
前記実施例２の加圧手段３２ｂによれば、可撓性部材３３が道路３１と別体に構成されていて、その表面に振動発生用突起３６が構成されているから、前輪Ｗ１と後輪Ｗ２が振動発生用突起３６を乗り越えるときに、加圧手段３２ｂを押圧する力が強くなるため、加圧部３４が圧電素子１を強く加圧できるという効果がある。
【００３１】
前記実施例３の加圧手段３２ｃによれば、可撓性部材３３が道路３１と別体に構成されていて、その表面に振動発生用凹部３７が構成されているから、前輪Ｗ１と後輪Ｗ２が振動発生用凹部３７に落ち込み、加圧手段３２ｃを押圧する力が強くなるため、加圧部３４が圧電素子１を強く加圧できるという効果がある。
【００３２】
また前記加圧手段３２ｂ、３２ｃは、道路３１に対して着脱可能であるから、交換が容易であり自分の好みにあった道路を作る楽しみがあるというメリットがある。
【００３３】
図６及び図７は本考案の実施形態２の自動車玩具である。
この自動車玩具４は、前記圧電素子１と加圧手段４０を内部に収納し、上部にＬＥＤ１５を設置したものである。
【００３４】
前記自動車玩具４の内部には作動手段であるゼンマイ４５と、このゼンマイ４５によって作動する、往復駆動体であるクランク４４を設置してある。
前記クランク４４の前方（図６左方）には加圧手段４０を取り付ける。加圧手段４０は、クランク４４に水平に固定したスライダー４３と、このスライダー４３の先端に、圧力調整用バネ４２を介して固定した加圧部４１よりなる。
前記加圧部４１の前方には、所定の間隔を有して圧電素子１を垂直に固定してあり、この圧電素子１は、電線１２、１４で前記ＬＥＤ１５と連結されている。
【００３５】
このように構成した自動車玩具４の作用について説明する。
ゼンマイ４５を巻いた後、自動車玩具４を走らせると、ゼンマイ４５のエネルギーでクランク４４が往復運動を行う。
図６はクランク４４が後方に移動した状態を示しており、スライダー４３と圧力調整用バネ４２も後方に移動している。一定距離移動後、クランク４４は前方に急速に戻るため、スライダー４３先端の加圧部４１が圧力調整用バネ４２の作用で圧電素子１の表面に強い力で衝突する（図７参照）。これによって圧電素子１が発電してＬＥＤ１５が点灯するのである。
【００３６】
この自動車玩具４は、圧電素子、加圧手段等の発光機構が、すべて車体内部に収納されているため、装置が小型となり場所を選ばず安全に遊ぶことができる。
加圧手段４０の駆動機構としては、本実施形態のゼンマイ４５以外にも、ゴム、バネなどの動力を使用することもできる。さらにはクランク４４に代えて、後述の水車玩具の間欠加圧手段を使用することもできる。
【００３７】
図８は本考案の実施形態３のピストル玩具である。
ピストル玩具５は、本体内部に作動手段である引き金５５と圧電素子１及び加圧手段５０を収納し、銃口５ａの先端にＬＥＤ１５を設けたものである。
【００３８】
引き金５５は略正方形であり、前方（図８左方）上部に係合部５５ａを立設し、この係合部５５ａの下部には、ピストル玩具５本体に設けたガイド孔５６をスライドして後方移動する軸５５ｂを設けてある。
引き金５５の後端とピストル玩具５本体との間にはバネ５８を介在させることによって、引き金５５を常時前方に付勢しているのである。
また、引き金５５の後端下部にはガイド５５ｃを構成してあり、このガイド５５ｃによって引き金５５は、ピストル玩具５本体の内部に設けた湾曲面５９に沿って、軸５５ｂを中心に矢印Ｙ方向に回転しながら移動する。
符号５５ｄは、引き金５５の前方に設けた円弧状の指掛け部である。
【００３９】
前記引き金５５の上方には、加圧手段５０を構成している。
加圧手段５０は、後端をバネ５４によって常時前方に付勢されているスライダー５３と、その前端に取り付けた圧力調整用バネ５２と、圧力調整用バネ５２の先端に取り付けた加圧部５１よりなる。
前記スライダー５３の下部には、引き金５５の係合部５５ａと係合する突起５３ａを構成している。
【００４０】
前記加圧部５１の前方には、所定の間隔を有して圧電素子１を垂直に固定してあり、この圧電素子１は、電線１２、１４で銃口５ａ先端に取り付けた前記ＬＥＤ１５と連結している。
【００４１】
このように構成したピストル玩具５の作用について説明する。
指掛け部５５ｄに指を掛けて引き金５５を引くと、引き金５５はバネ５８の力に抗し後方に移動していく。
このときガイド５５ｃが湾曲面５９に沿ってせり上がっていくから、引き金５５は軸５５ｂを中心にＹ方向に回転しながら移動していく。
【００４２】
同時に軸５５ｂがガイド孔５６をスライドし、係合部５５ａは突起５３ａを後方に押しながら移動していくため、スライダー５３はバネ５４の力に抗して後方に移動していくのである。
【００４３】
その後、引き金５５が軸５５ｂを中心に回転するため、係合部５５ａが突起５３ａから外れて係合状態が解除される。これによってバネ５４の力によってスライダー５３が勢いよく前進し、加圧部５１が圧力調整用バネ５２の作用で圧電素子１の表面に強い力で当たる（図８仮想線参照）。これによって圧電素子１が発電してＬＥＤ１５が点灯する。
【００４４】
その後、引き金５５はバネ５８の力で前進し、係合部５５ａが突起５３ａを乗り越えて、突起５３ａと係合部５５ａは再び図８の係合状態となる。
【００４５】
このピストル玩具５は、引き金５５を引くと銃口５ａに取り付けたＬＥＤ１５が光るため、あたかもピストルを撃っているような臨場感と楽しさがある。
【００４６】
図９は本考案の実施形態４の水車玩具である。
水車玩具６は、水流で回転する回転体６１と圧電素子１及び加圧手段６０とＬＥＤ１５等よりなる。
【００４７】
回転体６１は、支軸６３によって水車玩具６本体に回転可能に取り付けられ、周縁に複数の水受け部６２を構成してある。
前記支軸６３を共通にして、作動手段である作動車６４が取り付けられ、この作動車６４の周縁に複数の作動ピン６５を構成してある。
【００４８】
一方、前記回転体６１の近傍に加圧手段６０を構成する。この加圧手段６０は、固定軸６８で水車玩具６本体に水平に固定された板状部材６７と、この板状部材６７の下面に設けた加圧部６９からなる。また、前記板状部材６７の先端は、前記作動ピン６５の先端と互いに接触可能な位置関係にある。
【００４９】
そして、前記加圧部６９の下部には、所定の間隔を有して圧電素子１を配置してあり、この圧電素子１は、電線１２、１４で前記ＬＥＤ１５と連結されている。
【００５０】
前記水車玩具６の作用を説明する。
注水手段Ｓからの流水が水受け部６２にあたると、回転体６は支軸６３を中心に矢印Ｘ方向に回転する。これと同期して作動車６４も同方向に回転し、周縁に取り付けた作動ピン６５が板状部材６７の先端下方に接触して、板状部材６７を上方に押し上げる（図９仮想線参照）。
【００５１】
その後、作動車６４の回転に伴って作動ピン６５が板状部材６７より外れ、板状部材６７は固定軸６８を中心に下方に勢いよく戻り、加圧部６９が圧電素子１の表面を強く叩いて発電し、ＬＥＤ１５が点灯する。
【００５２】
このように本実施形態によれば、水流によって一定の時間ごとに自動的にかつ継続的にＬＥＤ１５を点灯させることができるのである。
【００５３】
図１０は本考案の実施形態５の太鼓玩具である。
太鼓玩具８は、いわゆるでんでん太鼓の形状をしており、柄８５の上端に、作動手段となる円板部８１と、円板部８１の表面と裏面に圧電素子１を設け、上端にＬＥＤ１５を設ける。
前記円板部８１の中央の両端に、２個の支持部８２，８２を設け、この支持部８２，８２の先端に紐８３，８３を介して錘８４，８４を固定する。前記支持部８２と紐８３及び錘８４で加圧手段８０を構成する。
【００５４】
前記実施形態５の太鼓玩具８の作用を説明する。
柄８５を掴んで円板部８１を水平方向に回すと、錘８４が回転して圧電素子１の表面を強く叩くため、圧電素子１が発電してＬＥＤ１５を点灯させる。このとき圧電素子１は、円板部８１の表面と裏面に設けてあるから、錘８４は交互に表面と裏面を叩いて加圧するので、ＬＥＤ１５が絶え間なく点滅する。
【００５５】
このように本実施形態によれば、柄８５を手で回すことによってＬＥＤ１５を点灯させることができるので、幼児でも手軽に遊べるという面白さがある。
【００５６】
図１１乃至図１３は本考案の実施形態６の踏み切り玩具を示すもので、レール９１とこのレール９１の一部に構成した踏み切り９２及びレール上を走行する電車玩具Ｔによって構成されている。
【００５７】
前記踏み切り９２本体の表面に、内部に圧電素子１を固定部９４，９４で水平に固定したケース９３と、信号機９５を立設し、前記圧電素子１と信号機９５の上部に設けたＬＥＤ１５を電線１２、１４で連結する。
一方、図１２に示すように、前記踏み切り９２本体の裏面に支軸９７を垂設し、この支軸９７に作動杆１０１を水平に軸支する。
【００５８】
前記作動杆１０１の一端に、バネ１０３を介して加圧部１０４を設け、圧電素子１の加圧手段１００を構成する。
この作動杆１０１の他端には、縦断面三角形状の操作桿１０２を構成してあり、この操作桿１０２の上端はレール９１に穿設した孔９６から突出している。
【００５９】
上記のように構成した踏み切り玩具９の作用について説明する。
図１３に示すように、電車玩具Ｔをレール９１上で走らせると、作動手段である車輪Ｗ３がレール９１の孔９６から突出している操作桿１０２の上を通り、操作桿１０２を上から押し下げる。これによって作動杆１０１が支軸９７を中心に回動し、加圧手段１００が上方に回動し、先端の加圧部１０４がバネ１０３の作用によって圧電素子１の表面に衝突し加圧する。これによって圧電素子１に電気が発生し、この電気が電線１２、１４を経由してＬＥＤ１５に流れて点灯する。
【００６０】
前輪Ｗ３が通過すると、作動杆１０１は図１２に示す元の位置に復帰するため、加圧部１００も元の位置に戻る。続いて次の車輪が作動杆１０１を押圧すると、再び加圧部１０４が圧電素子１の表面を加圧しＬＥＤ１５が点灯する。
このように、レール９１上で電車玩具Ｔを走らせることで、他の電源を必要とせずＬＥＤ１５が点滅を繰り返すため電車玩具の走行に臨場感が出て、ジオラマなどに利用して楽しく遊ぶことができるのである。
【符号の説明】
【００６１】
１  圧電素子
２  圧電素子
３  ミニカー道路玩具
４  自動車玩具
５  ピストル玩具
６  水車玩具
８  太鼓玩具
９  踏み切り玩具
１２  電線
１４  電線
１５  ＬＥＤ（発光体）
Ｍ  ミニカー
Ｗ    車輪（作動手段）
Ｗ１  前輪（作動手段）
Ｗ２  後輪（作動手段）
３０  基台
３１  道路
３２  加圧手段
３３  可撓性部材
３４  加圧部
４０  加圧手段
４１  加圧部
４２  圧力調整用バネ
４３  スライダー
４４  クランク
４５  ゼンマイ（作動手段）
５０  加圧手段
５１  加圧部
５２  圧力調整用バネ
５３  スライダー
５３ａ  突起
５４  バネ
５５  引き金（作動手段）
５５ａ  係合部
５６  ガイド孔
５８  バネ
６０  加圧手段
６１  回転体
６２  水受け部
６３  支軸
６４  作動車（作動手段）
６５  作動ピン
６９  加圧部
８０  加圧手段
８１  円板部（作動手段）
８２  支持部
８３  紐
８４  錘
８５  柄
９１  レール
９２  踏み切り
９３  ケース
９６  孔
１００  加圧手段
１０１  作動杆
１０２  操作桿
１０３  バネ
１０４  加圧部
Ｗ３    車輪（作動手段）
Ｔ      電車玩具
【図１】
0003168938.tif 000003
【図２】
0003168938.tif 000004
【図３】
0003168938.tif 000005
【図４】
0003168938.tif 000006
【図５】
0003168938.tif 000007
【図６】
0003168938.tif 000008
【図７】
0003168938.tif 000009
【図８】
0003168938.tif 000010
【図９】
0003168938.tif 000011
【図１０】
0003168938.tif 000012
【図１１】
0003168938.tif 000013
【図１２】
0003168938.tif 000014
【図１３】
0003168938.tif 000015